(57)【要約】【課題】通信によってコンテンツを購入するときに、実際のパッケージを購入するときの利便性や楽しさを購入者に与えることができるコンテンツ販売システム、コンテンツ購入端末装置、コンテンツ販売方法及びプログラムを提供すること。【解決手段】コンテンツ購入端末装置は、コンテンツのパッケージに付された識別情報を読み取る読み取り手段と、携帯端末装置のアドレスを入力する入力手段と、識別情報及びアドレスをサーバ装置に送信する端末側送信制御手段とを備え、サーバ装置は、識別情報に対応するコンテンツをネットワーク上において特定するための特定情報を、アドレスに対応する携帯端末装置に送信する特定情報送信制御手段と、アドレスに対応し特定情報にアクセスした携帯端末装置からの送信要求に応じて、特定情報に対応するコンテンツを携帯端末装置に送信するコンテンツ送信制御手段とを備えることを特徴とする。【選択図】図１
2009295150.tif 000002
【特許請求の範囲】
【請求項１】
コンテンツを携帯端末装置に提供するサーバ装置と、前記サーバ装置に接続されたコンテンツ購入端末装置とを備えるコンテンツ販売システムであって、
前記コンテンツ購入端末装置は、
前記コンテンツのパッケージに付された識別情報を読み取る読み取り手段と、
前記携帯端末装置のアドレスを入力する入力手段と、
前記読み取り手段によって読み取られた識別情報、及び前記入力手段によって入力されたアドレスを前記サーバ装置に送信する端末側送信制御手段とを備え、
前記サーバ装置は、
前記端末側送信制御手段から送信された識別情報に対応するコンテンツをネットワーク上において特定するための特定情報を、前記端末側送信制御手段から送信されたアドレスに対応する携帯端末装置に送信する特定情報送信制御手段と、
前記アドレスに対応し前記特定情報にアクセスした携帯端末装置からの送信要求に応じて、前記特定情報に対応するコンテンツを前記携帯端末装置に送信するコンテンツ送信制御手段とを備えることを特徴とするコンテンツ販売システム。
【請求項２】
前記コンテンツの購入者又は販売者からの決済指示に基づいて、前記コンテンツの決済処理を行う決済制御手段を備え、
前記端末側送信制御手段は、
前記決済制御手段による決済処理が終了した後に、前記入力手段によって入力されたアドレスを前記サーバ装置に送信することを特徴とする請求項１に記載のコンテンツ販売システム。
【請求項３】
前記サーバ装置は、
前記端末側送信制御手段から送信されたアドレスを受信すると、前記特定情報に対応させて送信許可情報を記憶し、
前記携帯端末装置から送信要求があると、前記送信許可情報が記憶されている場合に、前記コンテンツの送信を行うことを特徴とする請求項１又は請求項２に記載のコンテンツ販売システム。
【請求項４】
前記サーバ装置は、
前記コンテンツの送信が完了すると、前記送信許可情報を消去することを特徴とする請求項３に記載のコンテンツ販売システム。
【請求項５】
前記サーバ装置は、
ネットワークからアクセス不能なエリアに前記コンテンツを記憶しており、
前記端末側送信制御手段から送信されたアドレスを受信すると、ネットワークからアクセス可能なエリアに前記識別情報に対応するコンテンツを書き込み、前記アクセス可能なエリアに書き込まれたコンテンツの特定情報を前記携帯端末装置に送信し、
前記携帯端末装置から送信要求があると、当該送信要求に含まれる特定情報が前記携帯端末装置に送信した特定情報と一致する場合に、前記特定情報に対応するコンテンツを前記携帯端末装置に送信することを特徴とする請求項１から請求項４のいずれか一項に記載のコンテンツ販売システム。
【請求項６】
識別情報に対応するコンテンツをネットワーク上において特定するための特定情報を、取得したアドレスに対応する携帯端末装置に送信する特定情報送信制御手段と、前記アドレスに対応し前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置であって、
前記コンテンツのパッケージに付された識別情報を読み取る読み取り手段と、
前記携帯端末装置のアドレスを入力する入力手段と、
前記読み取り手段によって読み取られた識別情報、及び前記入力手段によって入力されたアドレスを前記サーバ装置に送信する端末側送信制御手段とを備えることを特徴とするコンテンツ購入端末装置。
【請求項７】
コンテンツを携帯端末装置に提供するサーバ装置と、前記サーバ装置に接続されたコンテンツ購入端末装置とを備えるコンテンツ販売システムにおけるコンテンツ販売方法であって、
前記コンテンツ購入端末装置において、
読み取り手段が、前記コンテンツのパッケージに付された識別情報を読み取り、
入力手段が、前記携帯端末装置のアドレスを入力し、
端末側送信制御手段が、前記読み取り手段によって読み取られた識別情報、及び前記入力手段によって入力されたアドレスを前記サーバ装置に送信し、
前記サーバ装置において、
特定情報送信制御手段が、前記端末側送信制御手段から送信された識別情報に対応するコンテンツをネットワーク上において特定するための特定情報を、前記端末側送信制御手段から送信されたアドレスに対応する携帯端末装置に送信し、
コンテンツ送信制御手段が、前記アドレスに対応し前記特定情報にアクセスした携帯端末装置からの送信要求に応じて、前記特定情報に対応するコンテンツを前記携帯端末装置に送信することを特徴とするコンテンツ販売方法。
【請求項８】
識別情報に対応するコンテンツをネットワーク上において特定するための特定情報を、取得したアドレスに対応する携帯端末装置に送信する特定情報送信制御手段と、前記アドレスに対応し前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置におけるプログラムであって、
前記コンテンツのパッケージに付された識別情報を読み取る読み取り手段と、
前記携帯端末装置のアドレスを入力する入力手段と、
前記読み取り手段によって読み取られた識別情報、及び前記入力手段によって入力されたアドレスを前記サーバ装置に送信する端末側送信制御手段として、前記コンテンツ購入端末装置のコンピュータを機能させるプログラム。
【請求項９】
コンテンツを携帯端末装置に提供するサーバ装置と、前記サーバ装置に接続されたコンテンツ購入端末装置とを備えるコンテンツ販売システムであって、
前記コンテンツ購入端末装置は、
前記コンテンツのパッケージに付された識別情報を読み取る読み取り手段と、
前記読み取り手段によって読み取られた識別情報を前記サーバ装置に送信し、その応答として、前記識別情報に対応するコンテンツをネットワーク上において特定するための特定情報を前記サーバ装置から受信する端末側送信制御手段と、
前記携帯端末装置に近距離通信によって前記特定情報を送信する近距離通信手段とを備え、
前記サーバ装置は、
前記端末側送信制御手段から送信された識別情報に対応するコンテンツをネットワーク上において特定するための特定情報を、前記コンテンツ購入端末装置に送信する特定情報送信制御手段と、
前記特定情報にアクセスした携帯端末装置からの送信要求に応じて、前記特定情報に対応するコンテンツを前記携帯端末装置に送信するコンテンツ送信制御手段とを備えることを特徴とするコンテンツ販売システム。
【請求項１０】
識別情報に対応するコンテンツをネットワーク上において特定するための特定情報を、コンテンツ購入端末装置に送信する特定情報送信制御手段と、前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置であって、
前記コンテンツのパッケージに付された識別情報を読み取る読み取り手段と、
前記読み取り手段によって読み取られた識別情報を前記サーバ装置に送信し、その応答として前記特定情報を前記サーバ装置から受信する端末側送信制御手段と、
前記携帯端末装置に近距離通信によって前記特定情報を送信する近距離通信手段とを備えることを特徴とするコンテンツ購入端末装置。
【請求項１１】
コンテンツを携帯端末装置に提供するサーバ装置と、前記サーバ装置に接続されたコンテンツ購入端末装置とを備えるコンテンツ販売システムにおけるコンテンツ販売方法であって、
前記コンテンツ購入端末装置において、
読み取り手段が、前記コンテンツのパッケージに付された識別情報を読み取り、
端末側送信制御手段が、前記読み取り手段によって読み取られた識別情報を前記サーバ装置に送信し、その応答として、前記識別情報に対応するコンテンツをネットワーク上において特定するための特定情報を前記サーバ装置から受信し、
近距離通信手段が、前記携帯端末装置に近距離通信によって前記特定情報を送信し、
前記サーバ装置において、
特定情報送信制御手段が、前記端末側送信制御手段から送信された識別情報に対応するコンテンツをネットワーク上において特定するための特定情報を、前記コンテンツ購入端末装置に送信し、
コンテンツ送信制御手段が、前記特定情報にアクセスした携帯端末装置からの送信要求に応じて、前記特定情報に対応するコンテンツを前記携帯端末装置に送信することを特徴とするコンテンツ販売方法。
【請求項１２】
識別情報に対応するコンテンツをネットワーク上において特定するための特定情報を、コンテンツ購入端末装置に送信する特定情報送信制御手段と、前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置におけるプログラムであって、
前記コンテンツのパッケージに付された識別情報を読み取る読み取り手段と、
前記読み取り手段によって読み取られた識別情報を前記サーバ装置に送信し、その応答として前記特定情報を前記サーバ装置から受信する端末側送信制御手段と、
前記携帯端末装置に近距離通信によって前記特定情報を送信する近距離通信手段として、前記コンテンツ購入端末装置のコンピュータを機能させるプログラム。
【発明の詳細な説明】
【技術分野】
【０００１】
本発明は、コンテンツ販売システム、コンテンツ購入端末装置、コンテンツ販売方法及びプログラムに関する。
【背景技術】
【０００２】
近年、例えば音楽などのコンテンツを記憶する携帯再生装置を携行し、その携帯再生装置によって、通学・通勤などの外出時において様々な音楽などを楽しむ人が増えてきている。なお、携帯再生装置としては、再生専用装置だけでなく、携帯電話やＰＤＡ（Personal  Digital  Assistants）なども含まれる。このような携帯再生装置によって音楽を再生するためには、その装置が再生可能なディジタルデータとして音楽を取り込む必要がある。
現状では、携帯再生装置に音楽を取り込む手段として、以下の２つが考えられる。
一つには、コンテンツが格納されたＣＤなどのパッケージを購入し、このコンテンツを、専用ツールなどを用いて再生可能なディジタルデータに変換して、携帯再生装置に取り込むやり方である。取り込むためには、変換を行うＰＣなどと接続するケーブルを利用したり、例えばＭｉｃｒｏＳＤなどのメディアスロットを利用することができる。
二つには、音楽データからなるコンテンツの販売を行っているサイトに接続し、クレジットカードなどの支払いによって、所望のコンテンツをディジタルデータとしてダウンロードすることによって携帯再生装置に取り込むやり方である。
【先行技術文献】
【特許文献】
【０００３】
【特許文献１】特開２０００−２０９１９７号公報
【発明の概要】
【発明が解決しようとする課題】
【０００４】
しかしながら、上記のように音楽ＣＤを購入する場合、携帯再生装置に取り込むためには、音楽ＣＤのコンテンツを、その装置が再生可能なディジタルデータに変換して取り込む必要があり、その作業が非常に煩わしいという問題がある。
また、コンテンツをディジタルデータとしてダウンロードする場合、変換などの煩わしさはなくなるものの、本当に欲しいコンテンツがサイトに登録されているかを確認したり、そのコンテンツを探し出したりすることが面倒であるだけでなく、コンテンツが格納された複数のパッケージが陳列された販売店の中で、パッケージを実際に手にとって見て選ぶときの楽しみなどが失われ、コンテンツ購入時の物足りなさを購入者に与えてしまうという問題がある。
【０００５】
本発明は、このような事情に鑑みてなされたものであって、通信によってコンテンツを購入するときに、実際のパッケージを購入するときの利便性や楽しさを購入者に与えることができるコンテンツ販売システム、コンテンツ購入端末装置、コンテンツ販売方法及びプログラムを提供することを目的とする。
【課題を解決するための手段】
【０００６】
上記課題を解決するために、本発明は以下の手段を提供する。
本発明に係るコンテンツ販売システムは、コンテンツを携帯端末装置に提供するサーバ装置と、前記サーバ装置に接続されたコンテンツ購入端末装置とを備えるコンテンツ販売システムであって、前記コンテンツ購入端末装置は、前記コンテンツのパッケージに付された識別情報を読み取る読み取り手段と、前記携帯端末装置のアドレスを入力する入力手段と、前記読み取り手段によって読み取られた識別情報、及び前記入力手段によって入力されたアドレスを前記サーバ装置に送信する端末側送信制御手段とを備え、前記サーバ装置は、前記端末側送信制御手段から送信された識別情報に対応するコンテンツをネットワーク上において特定するための特定情報を、前記端末側送信制御手段から送信されたアドレスに対応する携帯端末装置に送信する特定情報送信制御手段と、前記アドレスに対応し前記特定情報にアクセスした携帯端末装置からの送信要求に応じて、前記特定情報に対応するコンテンツを前記携帯端末装置に送信するコンテンツ送信制御手段とを備えることを特徴とする。
【０００７】
また、本発明に係るコンテンツ販売システムは、前記コンテンツの購入者又は販売者からの決済指示に基づいて、前記コンテンツの決済処理を行う決済制御手段を備え、前記端末側送信制御手段は、前記決済制御手段による決済処理が終了した後に、前記入力手段によって入力されたアドレスを前記サーバ装置に送信することを特徴とする。
【０００８】
また、本発明に係るコンテンツ販売システムは、前記サーバ装置が、前記端末側送信制御手段から送信されたアドレスを受信すると、前記特定情報に対応させて送信許可情報を記憶し、前記携帯端末装置から送信要求があると、前記送信許可情報が記憶されている場合に、前記コンテンツの送信を行うことを特徴とする。
【０００９】
また、本発明に係るコンテンツ販売システムは、前記サーバ装置が、前記コンテンツの送信が完了すると、前記送信許可情報を消去することを特徴とする。
【００１０】
また、本発明に係るコンテンツ販売システムは、前記サーバ装置が、ネットワークからアクセス不能なエリアに前記コンテンツを記憶しており、前記端末側送信制御手段から送信されたアドレスを受信すると、ネットワークからアクセス可能なエリアに前記識別情報に対応するコンテンツを書き込み、前記アクセス可能なエリアに書き込まれたコンテンツの特定情報を前記携帯端末装置に送信し、前記携帯端末装置から送信要求があると、当該送信要求に含まれる特定情報が前記携帯端末装置に送信した特定情報と一致する場合に、前記特定情報に対応するコンテンツを前記携帯端末装置に送信することを特徴とする。
【００１１】
また、本発明に係るコンテンツ購入端末装置は、識別情報に対応するコンテンツをネットワーク上において特定するための特定情報を、取得したアドレスに対応する携帯端末装置に送信する特定情報送信制御手段と、前記アドレスに対応し前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置であって、前記コンテンツのパッケージに付された識別情報を読み取る読み取り手段と、前記携帯端末装置のアドレスを入力する入力手段と、前記読み取り手段によって読み取られた識別情報、及び前記入力手段によって入力されたアドレスを前記サーバ装置に送信する端末側送信制御手段とを備えることを特徴とする。
【００１２】
また、本発明に係るコンテンツ販売方法は、コンテンツを携帯端末装置に提供するサーバ装置と、前記サーバ装置に接続されたコンテンツ購入端末装置とを備えるコンテンツ販売システムにおけるコンテンツ販売方法であって、前記コンテンツ購入端末装置において、読み取り手段が、前記コンテンツのパッケージに付された識別情報を読み取り、入力手段が、前記携帯端末装置のアドレスを入力し、端末側送信制御手段が、前記読み取り手段によって読み取られた識別情報、及び前記入力手段によって入力されたアドレスを前記サーバ装置に送信し、前記サーバ装置において、特定情報送信制御手段が、前記端末側送信制御手段から送信された識別情報に対応するコンテンツをネットワーク上において特定するための特定情報を、前記端末側送信制御手段から送信されたアドレスに対応する携帯端末装置に送信し、コンテンツ送信制御手段が、前記アドレスに対応し前記特定情報にアクセスした携帯端末装置からの送信要求に応じて、前記特定情報に対応するコンテンツを前記携帯端末装置に送信することを特徴とする。
【００１３】
また、本発明に係るプログラムは、識別情報に対応するコンテンツをネットワーク上において特定するための特定情報を、取得したアドレスに対応する携帯端末装置に送信する特定情報送信制御手段と、前記アドレスに対応し前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置におけるプログラムであって、前記コンテンツのパッケージに付された識別情報を読み取る読み取り手段と、前記携帯端末装置のアドレスを入力する入力手段と、前記読み取り手段によって読み取られた識別情報、及び前記入力手段によって入力されたアドレスを前記サーバ装置に送信する端末側送信制御手段として、前記コンテンツ購入端末装置のコンピュータを機能させる。
【００１４】
また、本発明に係るコンテンツ販売システムは、コンテンツを携帯端末装置に提供するサーバ装置と、前記サーバ装置に接続されたコンテンツ購入端末装置とを備えるコンテンツ販売システムであって、前記コンテンツ購入端末装置は、前記コンテンツのパッケージに付された識別情報を読み取る読み取り手段と、前記読み取り手段によって読み取られた識別情報を前記サーバ装置に送信し、その応答として、前記識別情報に対応するコンテンツをネットワーク上において特定するための特定情報を前記サーバ装置から受信する端末側送信制御手段と、前記携帯端末装置に近距離通信によって前記特定情報を送信する近距離通信手段とを備え、前記サーバ装置は、前記端末側送信制御手段から送信された識別情報に対応するコンテンツをネットワーク上において特定するための特定情報を、前記コンテンツ購入端末装置に送信する特定情報送信制御手段と、前記特定情報にアクセスした携帯端末装置からの送信要求に応じて、前記特定情報に対応するコンテンツを前記携帯端末装置に送信するコンテンツ送信制御手段とを備えることを特徴とする。
【００１５】
また、本発明に係るコンテンツ購入端末装置は、識別情報に対応するコンテンツをネットワーク上において特定するための特定情報を、コンテンツ購入端末装置に送信する特定情報送信制御手段と、前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置であって、前記コンテンツのパッケージに付された識別情報を読み取る読み取り手段と、前記読み取り手段によって読み取られた識別情報を前記サーバ装置に送信し、その応答として前記特定情報を前記サーバ装置から受信する端末側送信制御手段と、前記携帯端末装置に近距離通信によって前記特定情報を送信する近距離通信手段とを備えることを特徴とする。
【００１６】
また、本発明に係るコンテンツ販売方法は、コンテンツを携帯端末装置に提供するサーバ装置と、前記サーバ装置に接続されたコンテンツ購入端末装置とを備えるコンテンツ販売システムにおけるコンテンツ販売方法であって、前記コンテンツ購入端末装置において、読み取り手段が、前記コンテンツのパッケージに付された識別情報を読み取り、端末側送信制御手段が、前記読み取り手段によって読み取られた識別情報を前記サーバ装置に送信し、その応答として、前記識別情報に対応するコンテンツをネットワーク上において特定するための特定情報を前記サーバ装置から受信し、近距離通信手段が、前記携帯端末装置に近距離通信によって前記特定情報を送信し、前記サーバ装置において、特定情報送信制御手段が、前記端末側送信制御手段から送信された識別情報に対応するコンテンツをネットワーク上において特定するための特定情報を、前記コンテンツ購入端末装置に送信し、コンテンツ送信制御手段が、前記特定情報にアクセスした携帯端末装置からの送信要求に応じて、前記特定情報に対応するコンテンツを前記携帯端末装置に送信することを特徴とする。
【００１７】
また、本発明に係るプログラムは、識別情報に対応するコンテンツをネットワーク上において特定するための特定情報を、コンテンツ購入端末装置に送信する特定情報送信制御手段と、前記特定情報にアクセスした携帯端末装置からの送信要求に応じて、前記特定情報に対応するコンテンツを前記携帯端末装置に送信するコンテンツ送信制御手段とを備えるサーバ装置に接続されるコンテンツ購入端末装置におけるプログラムであって、前記コンテンツのパッケージに付された識別情報を読み取る読み取り手段と、前記読み取り手段によって読み取られた識別情報を前記サーバ装置に送信し、その応答として前記特定情報を前記サーバ装置から受信する端末側送信制御手段と、前記携帯端末装置に近距離通信によって前記特定情報を送信する近距離通信手段として、前記コンテンツ購入端末装置のコンピュータを機能させる。
【発明の効果】
【００１８】
本発明によれば、通信によってコンテンツを購入するときに、実際のパッケージを購入するときの楽しさや利便性を購入者に与えることができる。
【図面の簡単な説明】
【００１９】
【図１】本発明に係るコンテンツ販売システムの実施形態を示す全体構成図である。
【図２】携帯電話、コンテンツ購入端末及びサーバ装置の動作を示すフローチャートである。
【図３】携帯電話、コンテンツ購入端末及びサーバ装置の動作を示す、図２と連結されるフローチャートである。
【図４】携帯電話、コンテンツ購入端末及びサーバ装置の動作を示す、図３と連結されるフローチャートである。
【図５】本発明の第二実施形態としてのコンテンツ販売システムを示した全体構成図である。
【図６】第二実施形態における携帯電話、コンテンツ購入端末及びサーバ装置の動作を示すフローチャートである。
【図７】第二実施形態における携帯電話、コンテンツ購入端末及びサーバ装置の動作を示す、図６と連結されるフローチャートである。
【発明を実施するための形態】
【００２０】
［第一実施形態］
以下、本発明の第一実施形態におけるコンテンツ販売システムについて、図面を参照して説明する。
図１は、本発明の第一実施形態としてのコンテンツ販売システムを示した全体構成図である。
コンテンツ販売システム１は、音楽コンテンツを提供するサーバ装置１２と、このサーバ装置１２に通信回線１３を介して接続されたコンテンツ購入端末装置２と、サーバ装置１２にインターネット２０及び基地局１１を介して接続される携帯電話（携帯端末装置）１０とを備えている。
【００２１】
携帯電話１０は、音楽コンテンツの購入者によって携行されるものである。この携帯電話１０は、全体の動作を制御する制御部１０ａと、この制御部１０ａに接続された無線通信部１０ｂと赤外線通信部１０ｃと記憶部１０ｄと電子マネー処理部１０ｅと再生部１０ｆとを備えている。
無線通信部１０ｂは、基地局１１と通信を行い、インターネット２０を介してサーバ装置１２に接続する。
赤外線通信部１０ｃは、後述する赤外線受光部２ｂと赤外線によって通信を行う。
記憶部１０ｄは、携帯電話１０のメールアドレス、音楽データ及び電子マネー情報を記憶する。
電子マネー処理部１０ｅは、後述する電子マネー端末２ｃと通信を行い、電子マネー端末２ｃから送信された決済処理要求に基づいて、決済のための処理を行う。
再生部１０ｆは、例えばｍｐ３などの所定のフォーマットの音楽データを再生する。
【００２２】
サーバ装置１２は、全体の動作を制御する制御部（特定情報送信制御部、コンテンツ送信制御手段）１２ａと、この制御部１２ａに接続された通信部（特定情報送信制御部、コンテンツ送信制御手段）１２ｂと記憶部１２ｃとを備えている。
記憶部１２ｃは、公開エリア１２ｃ１と非公開エリア１２ｃ２とを備えている。非公開エリア１２ｃ２には、販売するｍｐ３フォーマットによる種々の音楽コンテンツが記憶されている。また、公開エリア１２ｃ１には、音楽コンテンツ販売サイト用のデータを記憶するとともに、購入者がアクセスするときのために、指定の音楽コンテンツを暫定的に記憶する。
通信部１２ｂは、インターネット２０に接続するとともに、基地局１１を介して、携帯電話１０と通信を行う。また、通信部１２ｂは、コンテンツ購入端末装置２と通信回線１３を介して通信を行う。
【００２３】
コンテンツ購入端末装置２は、音楽ＣＤを実際に販売する販売店に設置されるものである。このコンテンツ購入端末装置２は、全体の動作を制御する購入端末本体部（端末側送信制御手段）２ａと、この購入端末本体部２ａに接続された赤外線受光部（入力手段）２ｂと電子マネー端末（決済手段）２ｃとバーコード読取部（読み取り手段）２ｄと表示部２ｅと操作部２ｆとを備えている。
赤外線受光部２ｂは、携帯電話１０と赤外線による通信を行う。すなわち、赤外線受光部２ｂは、メールアドレスの送信要求を携帯電話１０に送信し、携帯電話１０から送信されたメールアドレスを受信して、当該メールアドレスを購入端末本体部２ａに入力する。
電子マネー端末２ｃは、携帯電話１０と通信を行う。すなわち、電子マネー端末２ｃは、携帯電話１０の電子マネー処理部１０ｅと通信を行い、決済処理要求を送信し、携帯電話１０から送信された料金承認信号を受信し、当該料金承認信号を購入端末本体部２ａに入力する。
【００２４】
また、バーコード読取部２ｄは、パッケージの外装などに付され、音楽コンテンツを特定するためのバーコードを読み取り、音楽コンテンツの識別情報を読み取り、当該識別情報を購入端末本体部２ａに入力する。
表示部２ｅは、購入端末本体部２ａからの指示のもと、音楽コンテンツのタイトル、アーティスト名、金額などのコンテンツ情報や、購入者に対する指示などの各種情報を表示する。
操作部２ｆは、操作ボタンなどからなり、購入者などによって押下されることにより、各種信号を出力する。
【００２５】
次に、このように構成された本第一実施形態におけるコンテンツ販売システム１の動作について説明する。
図２から図４は、コンテンツ販売システムの動作を示すフローチャートである。
図２から図４では、購入者が、販売店において音楽ＣＤを見ながら、購入したい音楽コンテンツを選び、料金を支払い、当該音楽コンテンツを携帯電話１０に取り込むまでの動作、処理について示すものである。
また、図２から図４においては、携帯電話１０、コンテンツ購入端末装置２、及びサーバ装置１２に分けて、それぞれの各動作を示している。
【００２６】
購入者は、店頭において音楽ＣＤを見ながら、購入したい音楽コンテンツを決める。そして、購入者は、その音楽ＣＤを持ったまま、レジ近くに設置されたコンテンツ購入端末装置２まで行き、購入操作を開始する。
まず、購入者は、操作部２ｆの購入ボタンを押下する。このとき、操作部２ｆは、購入開始信号を購入端末本体部２ａに入力する。購入端末本体部２ａは、購入開始信号を受け付けると、商品提示要求を表示部２ｅに表示させる（ステップＳ１）。提示とは、商品に記載されたバーコードを入力することである。すなわち、音楽ＣＤに付されたバーコードを読み取るように、表示部２ｅによって購入者に報知する。つまり、表示部２ｅに、「商品のバーコードを読み取ってください。」などの文字が表示される。
【００２７】
そして、購入端末本体部２ａは、バーコード読取部２ｄの出力を読み出し、購入開始信号が入力されてから所定時間内に識別情報の出力があったか否かを判定する（ステップＳ２）。このとき、購入者がバーコードの読み取り操作を行わない場合、購入端末本体部２ａは、所定時間内に識別情報の出力がなかったと判定し、ステップＳ１に戻って処理を繰り返す。一方、購入者が、表示部２ｅの表示を確認し、パッケージに付されたバーコードにバーコード読取部２ｄをかざし、識別情報を読み取らせる。バーコード読取部２ｄは、バーコードから識別情報を読み出し、この識別情報を購入端末本体部２ａに入力する。なお、識別情報には、個別ＩＤ、音楽タイトル、アーティスト名、金額などのコンテンツ情報が含まれる。このとき、購入端末本体部２ａは、所定時間内に識別情報の出力があったと判定し、取得したコンテンツ情報を表示部２ｅに表示して、購入したい音楽コンテンツが正しいかどうかを購入者に確認する（ステップＳ３）。すなわち、表示部２ｅに、「この楽曲を購入しますか？」などの文字が表示される。
【００２８】
さらに、購入端末本体部２ａは、操作部２ｆの出力を読み出し、識別情報が入力されてから所定の時間内に、操作部２ｆからの購入承認信号の出力があったか否かを判定する（ステップＳ４）。このとき、購入者が、表示部２ｅの表示を確認して、購入を止めた場合などには、操作部２ｆの購入ボタンが押下されないため、購入端末本体部２ａは、購入承認信号の出力が所定時間内になかったと判定し、ステップＳ１に戻って処理を繰り返す。
一方、購入者が、音楽コンテンツを購入するため、操作部２ｆの購入ボタンを押下すると、操作部２ｆは、購入承認信号を購入端末本体部２ａに入力する。このとき、購入端末本体部２ａは、所定時間内に操作部２ｆからの購入承認信号の出力があったと判定し、携帯電話１０のメールアドレスを入力するように表示部２ｅに表示して購入者に報知する（ステップＳ５）。すなわち、表示部２ｅに、「メールアドレスを入力してください。」などの文字が表示される。
【００２９】
購入端末本体部２ａは、赤外線受光部２ｂの出力を読み出し、購入承認信号が入力されてから所定の時間内に、赤外線受光部２ｂからのメールアドレスの出力があったか否かを判定する（ステップＳ６）。このとき、購入者が、携帯電話１０からメールアドレスの送信を行わない場合には、赤外線受光部２ｂがメールアドレスを出力しないため、購入端末本体部２ａは、メールアドレスの出力が所定時間内になかったと判定し、ステップＳ１に戻って処理を繰り返す。一方、購入者が、携帯電話１０を赤外線受光部２ｂの受光面と対向配置させて、メールアドレスを送信するように携帯電話１０を操作すると、携帯電話１０の制御部１０ａは、記憶部１０ｄから携帯電話１０のメールアドレスを取得し、赤外線通信部１０ｃを介して、そのメールアドレスを赤外線受光部２ｂに送信する（ステップＳ１００）。そして、赤外線受光部２ｂは、そのメールアドレスを受信して、購入端末本体部２ａに当該メールアドレスを入力する。このとき、購入端末本体部２ａは、所定時間内に赤外線受光部２ｂからメールアドレスの出力があったと判定し、そのメールアドレスを表示部２ｅに表示して、メールアドレスが正しいかどうかを購入者に確認する（ステップＳ７）。すなわち、表示部２ｅに、「このメールアドレスでよろしいですか?」などの文字が表示される。
【００３０】
さらに、購入端末本体部２ａは、操作部２ｆの出力を読み出し、メールアドレスが入力されてから所定の時間内に、操作部２ｆからのメールアドレス承認信号の出力があったか否かを判定する（ステップＳ８）。このとき、購入者が、表示部２ｅの表示を確認して、購入を止めた場合などには、操作部２ｆの承認ボタンが押下されないため、購入端末本体部２ａは、メールアドレス承認信号の出力が所定時間内になかったと判定し、ステップＳ１に戻って処理を繰り返す。一方、購入者が、表示部２ｅのメールアドレスを確認して、操作部２ｆの承認ボタンを押下すると、操作部２ｆは、メールアドレス承認信号を購入端末本体部２ａに入力する。このとき、購入端末本体部２ａは、所定時間内に操作部２ｆからのメールアドレス承認信号の出力があったと判定し、音楽コンテンツの料金支払の要求を表示部２ｅに表示して購入者に報知する（ステップＳ９）。すなわち、表示部２ｅに、「料金をお支払いください。」などの文字が表示される。
【００３１】
購入端末本体部２ａは、電子マネー端末２ｃの出力を読み出し、メールアドレス承認信号が入力されてから所定の時間内に、電子マネー端末２ｃからの料金承認信号の出力があったか否かを判定する（ステップＳ１０）。このとき、購入者が、表示部２ｅの表示を確認して、購入を止めた場合などには、電子マネー端末２ｃから料金承認信号が出力されないため、購入端末本体部２ａは、料金承認信号の出力が所定時間内になかったと判定し、ステップＳ１に戻って処理を繰り返す。一方、購入者が、音楽コンテンツを購入するため、電子マネー端末２ｃの読み取り面に携帯電話１０をかざすと、電子マネー端末２ｃと携帯電話１０との間で決済のための通信が行われる。すなわち、電子マネー端末２ｃが、決済処理要求を送信すると、携帯電話１０の制御部１０ａが電子マネー処理部１０ｅを介してその決済処理要求を受信し、決済処理を行う。
【００３２】
そして、決済処理が完了すると、制御部１０ａは、電子マネー処理部１０ｅを介して料金承認信号を送信する（ステップＳ１０１）。電子マネー端末２ｃは、その料金承認信号を受信して、当該料金承認信号を購入端末本体部２ａに入力する。このとき、購入端末本体部２ａは、所定時間内に電子マネー端末２ｃからの料金承認信号の出力があったと判定し、受信したメールアドレス及び識別情報を、通信回線１３を介してサーバ装置１２に送信する（ステップＳ１１）。
さらに、購入端末本体部２ａは、決済が完了した旨、及び購入した音楽コンテンツをダウンロードする旨を表示部２ｅに表示して購入者に報知する（ステップＳ１２）。すなわち、表示部２ｅに、「決済が完了しました。入力したメールアドレスの通知にしたがってダウンロードしてください。」などの文字が表示される。
【００３３】
一方、サーバ装置１２の制御部１２ａは、通信部１２ｂの出力を読み出し、コンテンツ購入端末装置２から送信されたメールアドレス及び識別情報を受信したか否かを判定する（ステップＳ２００）。制御部１２ａは、メールアドレス及び識別情報を受信していないと判定すると、通信部１２ｂの出力を読み出し、処理を繰り返す。一方、コンテンツ購入端末装置２がメールアドレス及び識別情報を送信すると、サーバ装置１２の通信部１２ｂがそれらメールアドレス及び識別情報を受信し、制御部１２ａに入力する。このとき、制御部１２ａは、メールアドレス及び識別情報を受信したと判定し、ダウンロードを許可するためのダウンロードライセンスを生成し（ステップＳ２０１）、受信したメールアドレス及び識別情報と対応させて、これらメールアドレス、識別情報及びダウンロードライセンスを非公開エリア１２ｃ２に記憶する。
【００３４】
次いで、制御部１２ａは、識別情報に対応する音楽コンテンツを公開エリア１２ｃ２から読み出し、その音楽コンテンツを公開エリア１２ｃ１にコピーする（ステップＳ２０２）。さらに、制御部１２ａは、ダウンロード通知用のメールを生成し、その本文に、楽曲名及びアーティスト名などの他、公開エリア１２ｃ１に音楽コンテンツをコピーした領域のＵＲＬ（Uniform Resource Locator：特定情報）をメールに貼り付ける。すなわち、ダウンロード通知用のメール本文には、「以下のＵＲＬにアクセスして、楽曲をダウンロードしてください。」などの文字が含まれる。そして、制御部１２ａは、生成したダウンロード通知用のメールを、通信部１２ｂにより、インターネット２０及び基地局１１を介して、携帯電話１０に送信する（ステップＳ２０３）。
なお、制御部１２ａは、当該ＵＲＬを、メールアドレス及び識別情報と対応させて、非公開エリア１２ｃ１に記憶する。
【００３５】
携帯電話１０の制御部１０ａは、サーバ装置１２から送信されたダウンロード通知用のメールを、無線通信部１０ｂを介して受信する（ステップＳ１０２）。そして、購入者が携帯電話１０を操作して、メール本文に記載されたＵＲＬにアクセスするよう指示する。
制御部１０ａは、購入者からのアクセス指示を受け付け、無線通信部１０ｂによって、基地局１１及びインターネット２０を介してサーバ装置１２のＵＲＬにアクセス要求を送信する（ステップＳ１０３）。
サーバ装置１２の制御部１２ａは、携帯電話１０からのアクセス要求を受信すると（ステップＳ２０４）、アクセス要求の指定ＵＲＬと、ダウンロード通知用のメールに貼り付けたＵＲＬとが一致しているかを判定する（ステップＳ２０５）。すなわち、制御部１２ａは、アクセス要求から送信元のメールアドレス及び指定のＵＲＬを抽出し、これら抽出したメールアドレス及び指定のＵＲＬと、非公開エリア１２ｃ２に記憶したメールアドレス及びＵＲＬとがそれぞれ一致するかを判定する。制御部１２ａは、一致していないと判定すると、一致していないのでアクセスできない旨を、通信部１２ｂを介して携帯電話１０に送信する（ステップＳ２０６）。
【００３６】
一方、制御部１２ａは、メールアドレス及びＵＲＬが一致すると判定すると、ダウンロードライセンスがあるかを判定する（ステップＳ２０７）。すなわち、制御部１２ａは、非公開エリア１２ｃ２にアクセスし、アクセス要求から抽出したメールアドレス及びＵＲＬに対応するダウンロードライセンスが記憶されているかを判定する。
そして、制御部１２ａは、ダウンロードライセンスが記憶されていないと判定すると、ダウンロードライセンスが発行されていない旨を携帯電話１０に送信する（ステップＳ２０８）。一方、制御部１２ａは、ダウンロードライセンスが記憶されていると判定すると、アクセス要求を許可し、識別番号に対応する音楽コンテンツを携帯電話１０に送信する（ステップＳ２０９）。
これにより、携帯電話１０の制御部１０ａは、無線通信部１０ｂを介して、音楽コンテンツのダウンロードを開始する（ステップＳ１０４）。そして、制御部１０ａは、ダウンロードが終了すると（ステップＳ１０５）、その音楽コンテンツを記憶部１０ｄに記憶する（ステップＳ１０６）。これにより、購入者の再生指示のもと、制御部１０ａは、指示された音楽コンテンツを記憶部１０ｄから抽出して再生部１０ｆにより、音楽を再生する。
【００３７】
なお、サーバ装置１２の制御部１２ａは、所定時間内に無事に送信が終了したかを判定し（ステップＳ２１０）、終了しなかったと判定すると、再ダウンロードの指示を携帯電話１０に送信して（ステップＳ２１１）、ステップＳ２１０の処理を繰り返す。一方、制御部１２ａは、送信が終了したと判定すると、ダウンロード終了通知を携帯電話１０に送信し（ステップＳ２１２）、非公開エリア１２ｃ２からダウンロードライセンスを消去するとともに（ステップＳ２１３）、公開エリア１２ｃ１から音楽コンテンツを消去する。
【００３８】
以上より、本第一実施形態におけるコンテンツ販売システム１によれば、音楽ＣＤの販売店において、音楽ＣＤなどを実際に見て触れながら、あたかも音楽ＣＤを選んで購入するような感覚で、ディジタルデータとしての音楽コンテンツをダウンロードすることができる。
そのため、通信によってコンテンツを購入するときに、実際のパッケージを購入するときの楽しさや利便性を購入者に与えることができる。
また、電子マネー端末２ｃと携帯電話１０とによって、迅速かつ容易に決済処理を行うことができることから、インターネットなどの販売サイトなどで、クレジットカードなどの番号を登録したりする必要もなく、セキュリティを向上させることができ、購入時における安心感を購入者に与えることができる。
【００３９】
また、サーバ装置１２は、音楽コンテンツを送信する前に、ダウンロードライセンスの発行を確認することから、セキュリティを向上させることができる。すなわち、メールによってＵＲＬを通知する場合、そのメールが別の携帯電話などに転送されると、別の携帯電話（もしくはPC）からもダウンロードができることになってしまう。本第一実施形態におけるコンテンツ販売システム１によれば、ダウンロードライセンスが有効でないと、ダウンロードすることができないようになっていることから、正規に購入した人のみに音楽コンテンツを販売することができる。
さらに、ダウンロードが成功し、一回の購入が終了すると、ダウンロードライセンスが消去されることにより、２回目以降はダウンロードすることができないようになっているため、１度の決済で１回の販売を確実に行うことができる。
【００４０】
また、携帯電話１０からのアクセス要求があった場合に、メールアドレス及びＵＲＬが、あらかじめ記憶したものと一致しているか判定し、一致している場合にのみ、アクセスを可能にしており、さらに、携帯電話１０から音楽コンテンツの送信要求があった場合に、その音楽コンテンツが公開エリア１２ｃ１に記憶されることから、セキュリティをさらに向上させることができる。
【００４１】
＜変形例＞
なお、上記第一実施形態においては、音楽コンテンツを販売するものとして説明したが、これに限ることはなく、例えば映像など他のコンテンツであってもよい。
また、携帯端末装置として携帯電話１０を利用するものとしたが、これに限ることはなく、例えばＰＤＡ等の他の携帯端末装置にも適用できることはいうまでもない。
【００４２】
また、赤外線受光部２ｂによってメールアドレスを入力しているが、これに限ることはなく、他の通信装置であってもよいし、購入者が操作部２ｆを操作することにより、メールアドレスを直接入力してもよい。
また、電子マネー端末２ｃによって決済処理を行っているが、これに限ることはなく、他の通信装置であってもよい。さらに、現金受領機などに現金を投入し、その現金受領機が料金承認信号を出力するものや、店員に現金を手渡しし、その店員などが操作部２ｆを操作して料金承認信号を出力するようにしてもよい。
また、バーコード読取部２ｄによってバーコードを介して識別情報を入力しているが、これに限ることはなく、リーダライタなどによりＲＦＩＤタグから識別情報を入力したり、操作部２ｆの操作により識別情報を直接入力したりしてもよい。
【００４３】
また、本第一実施形態においては、コンテンツ購入端末装置２を別個の装置として説明したが、これに限ることはなく、コンテンツ購入端末装置２の機能をレジなどに組み込んで利用してもよい。この場合、バーコードの読み取りなどを店員が行うことができる。
また、バーコード読取部２ｄが、音楽ＣＤに付されたバーコードを読み取るとしたが、このバーコードは、音楽ＣＤの識別のために新たに付与してもよいし、音楽ＣＤにあらかじめ設けられたバーコードでもよい。あらかじめ設けられたバーコードを読み取る場合、そのバーコードと当該音楽ＣＤの音楽コンテンツとをあらかじめ紐付けしておけばよい。
また、本実施形態においては、販売店などに陳列される音楽ＣＤとしては、本物の音楽ＣＤであることを想定している。そこで、購入者は、音楽ＣＤの購入に代えて、音楽コンテンツを購入してもよいが、音楽ＣＤと音楽コンテンツの両方を購入することも可能である。これにより、音楽ＣＤの購入や所有の喜びを購入者に与えるとともに、音楽ＣＤから電子データへの変換作業負担を不要にすることができる。
また、陳列される音楽ＣＤとしては、本物である必要はなく、ダミーであってもよいことはいうまでもない。
【００４４】
［第二実施形態］
次に、本発明の第二実施形態におけるコンテンツ販売システムについて、図面を参照して説明する。なお、以下の説明では、本発明の第一実施形態におけるコンテンツ販売システムと異なる点について説明し、同じ構成についての説明は省略する。
図５は、本発明の第二実施形態としてのコンテンツ販売システムを示した全体構成図である。
コンテンツ販売システム１−１は、音楽コンテンツを提供するサーバ装置１２−１と、このサーバ装置１２−１に通信回線１３を介して接続されたコンテンツ購入端末装置２−１と、サーバ装置１２−１にインターネット２０及び基地局１１を介して接続される携帯電話（携帯端末装置）１０−１とを備えている。
【００４５】
携帯電話１０−１は、制御部１０ａに代えて制御部１０ａ−１を備える点、赤外線通信部１０ｃに代えて近距離通信部１０ｇを備える点、で携帯電話１０と異なり、残る構成は携帯電話１０と同様である。
制御部１０ａ−１が行う処理については後述する。
近距離通信部１０ｇは、コンテンツ購入端末装置２−１に備えられた近距離通信部２ｇとの間でデータ通信を行う。近距離通信部１０ｇは、ケーブルを用いた有線通信を用いて実現されても良いし、ＩｒＳＳ等の赤外線通信やＲＦＩＤ（Radio Frequency Identification）を用いた電磁波通信などの無線通信を用いて実現されても良い。
【００４６】
サーバ装置１２−１は、制御部１２ａに代えて制御部１２ａ−１を備える点でサーバ装置１２と異なり、残る構成はサーバ装置１２と同様である。
制御部１２ａ−１が行う処理については後述する。
【００４７】
コンテンツ購入端末装置２−１は、購入端末本体部２ａに代えて購入端末本体部２ａ−１を備える点、赤外線受光部２ｂに代えて近距離通信部２ｇを備える点、でコンテンツ購入端末装置２と異なり、残る構成はコンテンツ購入端末装置２と同様である。
購入端末本体部２ａ−１が行う処理については後述する。
近距離通信部２ｇは、携帯電話１０−１に備えられた近距離通信部１０ｇとの間でデータ通信を行う。近距離通信部２ｇは、ケーブルを用いた有線通信を用いて実現されても良いし、ＩｒＳＳ等の赤外線通信やＲＦＩＤを用いた電磁波通信などの無線通信を用いて実現されても良い。
【００４８】
次に、このように構成された本第二実施形態におけるコンテンツ販売システム１−１の動作について説明する。
図６及び図７は、コンテンツ販売システム１−１の動作を示すフローチャートである。以下、図６及び図７を用いてコンテンツ販売システム１−１の動作について説明する。なお、以下の説明では、本発明の第一実施形態におけるコンテンツ販売システム１と異なる動作について説明し、同じ動作についての説明は省略する。
ステップＳ４の処理において、購入者が操作部２ｆの購入ボタンを押下すると、操作部２ｆは購入承認信号を購入端末本体部２ａ−１に入力する。このとき、購入端末本体部２ａ−１は、所定時間内に操作部２ｆからの購入承認信号の出力があったと判定し、音楽コンテンツの料金支払の要求を表示部２ｅに表示して購入者に報知する（ステップＳ９）。すなわち、表示部２ｅに、「料金をお支払いください。」などの文字が表示される。
【００４９】
購入端末本体部２ａ−１は、電子マネー端末２ｃの出力を読み出し、料金支払の要求を表示部２ｅに表示してから所定の時間内に、電子マネー端末２ｃからの料金承認信号の出力があったか否かを判定する（ステップＳ２０）。このとき、購入者が、表示部２ｅの表示を確認して、購入を止めた場合などには、電子マネー端末２ｃから料金承認信号が出力されないため、購入端末本体部２ａ−１は、料金承認信号の出力が所定時間内になかったと判定し、ステップＳ１に戻って処理を繰り返す。一方、購入者が、音楽コンテンツを購入するため、電子マネー端末２ｃの読み取り面に携帯電話１０−１をかざすと、電子マネー端末２ｃと携帯電話１０−１との間で決済のための通信が行われる。すなわち、電子マネー端末２ｃが、決済処理要求を送信すると、携帯電話１０−１の制御部１０ａ−１が電子マネー処理部１０ｅを介してその決済処理要求を受信し、決済処理を行う。
【００５０】
そして、決済処理が完了すると、制御部１０ａ−１は、電子マネー処理部１０ｅを介して料金承認信号を送信する（ステップＳ１０１）。電子マネー端末２ｃは、その料金承認信号を受信して、当該料金承認信号を購入端末本体部２ａ−１に入力する。このとき、購入端末本体部２ａ−１は、所定時間内に電子マネー端末２ｃからの料金承認信号の出力があったと判定し、識別情報を、通信回線１３を介してサーバ装置１２−１に送信する（ステップＳ２１）。
【００５１】
サーバ装置１２−１の制御部１２ａ−１は、通信部１２ｂの出力を読み出し、コンテンツ購入端末装置２−１から送信された識別情報を受信したか否かを判定する（ステップＳ２２１）。制御部１２−１ａは、識別情報を受信していないと判定すると、通信部１２ｂの出力を読み出し、処理を繰り返す。一方、コンテンツ購入端末装置２−１が識別情報を送信すると、サーバ装置１２−１の通信部１２ｂが識別情報を受信し、制御部１２ａ−１に入力する。このとき、制御部１２ａ−１は、識別情報を受信したと判定し、ダウンロードを許可するためのダウンロードライセンスを生成し（ステップＳ２２２）、受信した識別情報と対応させて、識別情報及びダウンロードライセンスを非公開エリア１２ｃ２に記憶する。
【００５２】
次いで、制御部１２ａ−１は、識別情報に対応する音楽コンテンツを非公開エリア１２ｃ２から読み出し、その音楽コンテンツを公開エリア１２ｃ１にコピーする（ステップＳ２２３）。さらに、制御部１２ａ−１は、楽曲名及びアーティスト名などの他、公開エリア１２ｃ１に音楽コンテンツをコピーした領域のＵＲＬ（Uniform Resource Locator：特定情報）を、通信回線１３を介してコンテンツ購入端末装置２−１へ送信する（ステップＳ２２４）。
なお、制御部１２ａ−１は、当該ＵＲＬを、識別情報と対応させて、非公開エリア１２ｃ１に記憶する。
【００５３】
コンテンツ購入端末装置２−１の購入端末本体部２ａ−１は、サーバ装置１２−１から送信されたＵＲＬを含む情報を、通信回線１３を介して受信する（ステップＳ２２）。そして、コンテンツ購入端末装置２−１の購入端末本体部２ａ−１は、受信したＵＲＬを含む情報を、近距離通信部２ｇを介して携帯電話１０−１へ送信する（ステップＳ２３）。さらに、購入端末本体部２ａ−１は、決済が完了した旨、及び購入した音楽コンテンツをダウンロードする旨を表示部２ｅに表示して購入者に報知する（ステップＳ２４）。すなわち、表示部２ｅに、「決済が完了しました。受信したＵＲＬにアクセスしてダウンロードしてください。」などの文字が表示される。
【００５４】
携帯電話１０−１の制御部１０ａ−１は、コンテンツ購入端末装置２−１から送信されたＵＲＬを含む情報を、近距離通信部１０ｇを介して受信する（ステップＳ１２１）。そして、購入者が携帯電話１０−１を操作して、受信されたＵＲＬにアクセスするよう指示する。
制御部１０ａ−１は、購入者からのアクセス指示を受け付け、無線通信部１０ｂによって、基地局１１及びインターネット２０を介してサーバ装置１２−１のＵＲＬにアクセス要求を送信する（ステップＳ１０３）。
サーバ装置１２−１の制御部１２ａ−１は、携帯電話１０−１からのアクセス要求を受信すると（ステップＳ２０４）、アクセス要求の指定ＵＲＬと、ステップＳ２２４においてコンテンツ購入端末装置２−１へ送信したＵＲＬとが一致しているかを判定する（ステップＳ２２５）。すなわち、制御部１２ａ−１は、アクセス要求から指定のＵＲＬを抽出し、抽出したＵＲＬと、非公開エリア１２ｃ２に記憶したＵＲＬとが一致するかを判定する。制御部１２ａ−１は、一致していないと判定すると、一致していないのでアクセスできない旨を、通信部１２ｂを介して携帯電話１０−１に送信する（ステップＳ２２６）。
【００５５】
一方、制御部１２ａ−１は、ＵＲＬが一致すると判定すると、ダウンロードライセンスがあるかを判定する（ステップＳ２２７）。すなわち、制御部１２ａ−１は、非公開エリア１２ｃ２にアクセスし、アクセス要求から抽出したＵＲＬに対応するダウンロードライセンスが記憶されているかを判定する。
そして、制御部１２ａ−１は、ダウンロードライセンスが記憶されていないと判定すると、ダウンロードライセンスが発行されていない旨を携帯電話１０−１に送信する（ステップＳ２２８）。一方、制御部１２ａ−１は、ダウンロードライセンスが記憶されていると判定すると、アクセス要求を許可し、識別番号に対応する音楽コンテンツを携帯電話１０−１に送信する（ステップＳ２２９）。
この後、携帯電話１０−１はステップＳ１０４以降の処理を行い、コンテンツ購入端末装置２−１はステップＳ２１０以降の処理を行う。
【００５６】
本第二実施形態におけるコンテンツ販売システム１−１によれば、購入者は、電子マネー端末２ｃによる決済処理を行った後に、目の前のコンテンツ購入端末装置２−１から近距離通信によってＵＲＬを受信することが可能となる。そのため、購入者は決済処理後にすぐにＵＲＬにアクセスすることによりダウンロードを開始することが可能となる。また、第一実施形態のように決済処理を行った後にメールの受信を待つ必要がある場合に比べて、決済処理後すぐにダウンロードを開始することが可能であることから、購入に対する購入者の心理的な抵抗感を低減させることも可能となる。
＜変形例＞
本第二実施形態におけるコンテンツ販売システム１−１は、可能な限りにおいて本第一実施形態と同様に変形されても良い。
【００５７】
また、図２から図４における携帯電話１０、コンテンツ購入端末装置２又はサーバ装置１２の機能や、図６及び図７における携帯電話１０−１、コンテンツ購入端末装置２−１又はサーバ装置１２−１の機能を実現するためのプログラムをコンピュータ読み取り可能な記録媒体に記録して、この記録媒体に記録されたプログラムをコンピュータシステムに読み込ませ、実行することにより音楽コンテンツの販売を行ってもよい。なお、ここでいう「コンピュータシステム」とは、ＯＳや周辺機器等のハードウェアを含むものとする。
【００５８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
なお、本発明の技術範囲は上記の実施形態に限定されるものではなく、本発明の趣旨を逸脱しない範囲において、種々の変更を加えることが可能である。
【符号の説明】
【００５９】
１コンテンツ販売システム
２コンテンツ購入端末装置
２ａ  購入端末本体部（端末側送信制御手段）
２ｂ  赤外線受光部（入力手段）
２ｃ  電子マネー端末（決済手段）
２ｄ  バーコード読取部（読み取り手段）
２ｇ  近距離通信部
１０  携帯電話（携帯端末装置）
１２  サーバ装置
１２ａ  制御部（特定情報送信制御部、コンテンツ送信制御手段）
１２ｂ  通信部（特定情報送信制御部、コンテンツ送信制御手段）
【図１】
2009295150.tif 000003
【図２】
2009295150.tif 000004
【図３】
2009295150.tif 000005
【図４】
2009295150.tif 000006
【図５】
2009295150.tif 000007
【図６】
2009295150.tif 000008
【図７】
2009295150.tif 000009